(57)【要約】 【課題】電力系統の安定化への貢献。【解決手段】充電設備案内システムは、電気自動車のバッテリーの充電状態を取得する手段と、複数の配電エリアに配置された充電設備の情報を記憶する手段と、前記複数の配電エリアにおける電気自動車のための電力許容度をそれぞれ算出する手段と、前記バッテリーの充電状態が所定の条件を満たす電気自動車のユーザに対して、前記電力許容度の高い配電エリア内の充電設備を選択して案内情報を送信する手段と、を備える。【選択図】図１
2019095196.tif 000002
【特許請求の範囲】
【請求項１】
電気自動車のバッテリーの充電状態を取得する第１の手段と、
複数の配電エリアにおける電気自動車に対する電力許容度をそれぞれ算出する第２の手段と、
前記バッテリーの充電状態が所定の条件を満たす電気自動車のユーザに対して、前記電力許容度の高さに基づいて選択した充電設備に関する案内情報を送信する第３の手段と、
を備えた充電設備案内システム。
【請求項２】
前記第３の手段は、前記電力許容度の高い順に選択した前記充電設備に関する案内情報を送信する請求項１の充電設備案内システム。
【請求項３】
前記第３の手段は、他の前記充電設備と比べて前記電力許容度が相対的に高い前記充電設備を選択し、前記充電設備に関する案内情報を送信する請求項１の充電設備案内システム。
【請求項４】
さらに、前記電気自動車から、前記電気自動車の位置情報を取得する第４の手段を備え、
前記電気自動車の位置情報に基づいて、前記複数の充電設備の中から前記案内情報の送信対象とする充電設備を選択する請求項１から３いずれか一の充電設備案内システム。
【請求項５】
さらに、前記電気自動車から、前記電気自動車の目的地情報又は目的地までの経路情報を取得する手段を備え、
前記目的地情報又は目的地までの経路情報に基づいて、前記複数の配電エリアの充電設備のうち前記電気自動車の移動経路に沿った配電エリアにある充電設備の中から前記案内情報の送信対象とする充電設備を選択する請求項１から４いずれか一の充電設備案内システム。
【請求項６】
さらに、前記電気自動車の目的地情報又は目的地までの経路情報に基づいて、前記目的地へ移動する過程での前記電気自動車のバッテリー充電状態の変化を推定する手段を備え、
前記目的地へ移動する過程での電気自動車のバッテリーの充電状態の変化と、前記電力許容度とに基づいて、案内情報を送信するか否かを決定する請求項５の充電設備案内システム。
【請求項７】
前記電気自動車のバッテリーの充電状態の取得又は前記電気自動車の位置情報の取得を契機として、新しい案内情報の作成要否を判定する請求項４から６いずれか一の充電設備案内システム。
【請求項８】
前記目的地情報又は目的地までの経路情報の取得を契機として、新しい案内情報を作成して送信する請求項５から７いずれか一の充電設備案内システム。
【請求項９】
前記案内情報には、前記充電設備の電力許容度に基づいた充電に対するインセンティブ情報が含まれている請求項１から６いずれか一の充電設備案内システム。
【請求項１０】
前記充電設備が所在する配電エリアの周波数又は電圧の安定状態に基づいて前記電力許容度を算出する請求項１から９いずれか一の充電設備案内システム。
【請求項１１】
前記充電設備が所在する配電エリア内の充電設備における周波数又は電圧の安定状態に基づいて前記電力許容度を算出する請求項１から９いずれか一の充電設備案内システム。
【請求項１２】
所定の電力サーバから受信した前記充電設備が所在する配電エリア別の電力の需給情報に基づいて前記電力許容度を算出する請求項１から９いずれか一の充電設備案内システム。
【請求項１３】
配電エリア内に所在する電気自動車を含む負荷装置の電力消費予測に基づいて、将来時点における電力許容度を算出し、前記電気自動車が充電設備に到着する将来時点における前記電力許容度に基づいて、案内情報に含める充電設備を選択する請求項１０から１２いずれか一の充電設備案内システム。
【請求項１４】
配電エリア内に所在する充電が必要な電気自動車の数に基づいて、前記配電エリア内に所在する電気自動車に対して、案内情報を送信するか否かを決定する請求項１から１３いずれか一の充電設備案内システム。
【請求項１５】
電気自動車のバッテリーの充電状態を取得するステップと、
複数の配電エリアにおける電気自動車に対する電力許容度をそれぞれ算出するステップと、
前記複数の配電エリアに配置された充電設備の情報を参照して、前記バッテリーの充電状態が所定の条件を満たす電気自動車のユーザに対して、前記電力許容度の高さに基づいて選択した充電設備に関する案内情報を送信するステップと、
を含む充電設備案内方法。
【請求項１６】
充電設備案内システムを構成するコンピュータに、
電気自動車のバッテリーの充電状態を取得する処理と、
複数の配電エリアにおける電気自動車に対する電力許容度をそれぞれ算出する処理と、
前記複数の配電エリアに配置された充電設備の情報を参照して、前記バッテリーの充電状態が所定の条件を満たす電気自動車のユーザに対して、前記電力許容度の高さに基づいて選択した充電設備に関する案内情報を送信する処理と、
を実行させるプログラム。
【発明の詳細な説明】
【技術分野】
【０００１】
本発明は、充電設備案内システム、充電設備案内方法及びプログラムに関し、特に、電気自動車（以下、「ＥＶ」とも記す。）のドライバーに対して充電設備の存在を知らせる充電設備案内システム、充電設備案内方法及びプログラムに関する。
【背景技術】
【０００２】
特許文献１に、電力系統における電力の需給バランスを取るために、必要な時間に必要な数だけの電気自動車を充電スタンドに誘導して、各充電スタンドにおける各電気自動車への充電電力を的確に制御することのできるという電力系統安定化システムが開示されている。同文献によると、電力系統監視制御システムが、各配電区域内の充電スタンド群が消費すべき総充電電力を計画する。充電監視制御センタは、必要な数だけの電気自動車に分配して消費させるために、走行中の電気自動車に対して充電スタンドで充電を行う電気自動車の募集を行う。そして、充電監視制御センタは、応募があった電気自動車のなかから選定した必要な数だけの電気自動車に前記総充電電力を分配することによって各電気自動車への充電量を決定し、さらに、それら各電気自動車を各充電スタンドに個別に誘導して、各充電スタンドにおける各電気自動車への充電電力を個別に制御する、とされている。
【０００３】
特許文献２に、ドライバーが、行楽施設で遊んでいる間に充電が完了するような電気自動車充電スタンドを選択できるようにした電気自動車充電施設案内ナビゲーション装置が開示されている。特許文献３には、充電スタンド管理センターがダウンしても、目的地へ向かう経路周辺に位置し、充電装置の空きがある充電スタンドへ電気自動車を誘導することのできるという車両誘導システムが開示されている。
【０００４】
特許文献４に、電気自動車３の出発地５１とＳＯＣ（state of charge）が与えられた場合に、電気自動車３が出発地５１から目的地５２に到達した後で目的地５２を出発した場合に到達可能である複数の到達可能地点５７を算出する算出手段（２）と、複数の到達可能地点５７が視覚的に認識可能である到達可能範囲表示画面を表示するための表示データを生成する表示データ生成手段（１）とを具備する電動移動体情報提供装置が開示されている。特許文献５には、自動車の運転者等の携帯通信端末に対して、その自動車の走行履歴情報に基づいて動力源補充ポイントを通知する構成が開示されている。
【先行技術文献】
【特許文献】
【０００５】
【特許文献１】特許第５３９５７６４号公報
【特許文献２】特開２０１２−９３０９６号公報
【特許文献３】特開２０１１−２３２２０８号公報
【特許文献４】特開２０１４−１４５７４８号公報
【特許文献５】特開２０１３−２５０８０１号公報
【発明の概要】
【発明が解決しようとする課題】
【０００６】
以下の分析は、本発明によって与えられたものである。特許文献１〜５のように、電気自動車のドライバーに対して、充電スタンド等の充電設備の位置を知らせる構成が提案されているが、配電網を構成する配電エリア毎の電力需給が深く考慮されていないという問題点がある。
【０００７】
この点、特許文献１においては電力系統における電力の需給バランスについて言及されている。しかしながら、特許文献１の発明は、電力系統監視制御システムから、配電網を構成する配電区域内の充電スタンド群が消費すべき総充電電力を受領してから、充電の対象となる自動車群を選択し、さらに、その中から応募を受け付け、応募があった自動車の中から充電の優先順位等を決定する構成となっている。このため、自動車からの応募が目標とした総充電電力に達しなかったり、逆に、応募が殺到して個々の自動車に必要な充電量を配分できないといったことが生じ得る。
【０００８】
本発明は、上記した応募という手順を採らずに電力系統の安定化に貢献できる充電設備案内システム、充電設備案内方法及びプログラムを提供することを目的とする。
【課題を解決するための手段】
【０００９】
第１の視点によれば、電気自動車のバッテリーの充電状態を取得する第１の手段と、
前記複数の配電エリアにおける電気自動車に対する電力許容度をそれぞれ算出する第２の手段と、前記バッテリーの充電状態が所定の条件を満たす電気自動車のユーザに対して、前記電力許容度の高さに基づいて選択した充電設備に関する案内情報を送信する第３の手段と、を備えた充電設備案内システムが提供される。
【００１０】
第２の視点によれば、電気自動車のバッテリーの充電状態を取得するステップと、複数の配電エリアにおける電気自動車に対する電力許容度をそれぞれ算出するステップと、前記複数の配電エリアに配置された充電設備の情報を参照して、前記バッテリーの充電状態が所定の条件を満たす電気自動車のユーザに対して、前記電力許容度の高さに基づいて選択した充電設備に関する案内情報を送信するステップと、を含む充電設備案内方法が提供される。本方法は、電気自動車のユーザに対して、電気自動車の充電設備に関する案内情報を送信する充電設備案内システムという、特定の機械に結びつけられている。
【００１１】
第３の視点によれば、充電設備案内システムを構成するコンピュータに、電気自動車のバッテリーの充電状態を取得する処理と、複数の配電エリアにおける電気自動車に対する電力許容度をそれぞれ算出する処理と、前記複数の配電エリアに配置された充電設備の情報を参照して、前記バッテリーの充電状態が所定の条件を満たす電気自動車のユーザに対して、前記電力許容度の高さに基づいて選択した充電設備に関する案内情報を送信する処理と、を実行させるプログラムが提供される。なお、このプログラムは、コンピュータが読み取り可能な（非トランジエントな）記憶媒体に記録することができる。即ち、本発明は、コンピュータプログラム製品として具現することも可能である。
【発明の効果】
【００１２】
本発明によれば、上記した応募という手順を採らずに電力系統の安定化に貢献することが可能となる。
【図面の簡単な説明】
【００１３】
【図１】本発明の一実施形態の構成を示す図である。
【図２】本発明の一実施形態の動作を説明するための図である。
【図３】本発明の第１の実施形態の全体構成を示す図である。
【図４】本発明の第１の実施形態の充電設備案内システムの構成を示す図である。
【図５】本発明の第１の実施形態の充電設備案内システムが保持する配電エリア情報の一例を示す図である。
【図６】本発明の第１の実施形態の充電設備案内システムが保持する充電設備情報の一例を示す図である。
【図７】本発明の第１の実施形態の動作（運転開始時判定１）を示すシーケンス図である。
【図８】本発明の第１の実施形態の動作（運転開始時判定２）を示すシーケンス図である。
【図９】本発明の第１の実施形態の充電設備案内システムの充電要否判定を説明するための図である。
【図１０】本発明の第１の実施形態の充電設備案内システムの充電設備の選択動作を説明するための図である。
【図１１】本発明の第１の実施形態の充電設備案内システムの充電設備の選択動作を説明するための図である。
【図１２】本発明の第２の実施形態の充電設備案内システムの構成を示す図である。
【図１３】本発明の第２の実施形態の充電設備案内システムが保持する車両情報の一例を示す図である。
【図１４】本発明の第２の実施形態の動作（移動中の判定１）を示すシーケンス図である。ンス図である。
【図１５】本発明の第２の実施形態の動作（移動中の判定２）を示すシーケンス図である。
【図１６】本発明の第３の実施形態の充電設備案内システムの構成を示す図である。
【図１７】本発明の第３の実施形態の充電設備案内システムが保持する配電エリア情報の一例を示す図である。
【図１８】本発明の第３の実施形態の充電設備案内システムの動作を説明するための図である。
【図１９】本発明の第３の実施形態の充電設備案内システムの動作を説明するための別の図である。
【図２０】本発明の第４の実施形態の充電設備案内システムの動作を説明するための図である。
【発明を実施するための形態】
【００１４】
はじめに本発明の一実施形態の概要について図面を参照して説明する。なお、この概要に付記した図面参照符号は、理解を助けるための一例として各要素に便宜上付記したものであり、本発明を図示の態様に限定することを意図するものではない。本発明は、その一実施形態において、図１に示すように、充電状態取得手段１１と、電力許容度算出手段１２と、案内情報送信手段１３と、充電設備情報記憶手段１４と、を備えた充電設備案内システムにて実現できる。
【００１５】
より具体的には、充電状態取得手段１１は、例えば、図１に示すＥＶ管理クラウドから、電気自動車のバッテリーの充電状態を取得する。なお、電気自動車のバッテリーの充電状態の取得方法は、ＥＶ管理クラウドに限られない。例えば、充電状態取得手段１１が、個々の電気自動車と通信して、充電状態を含む車両情報を取得する形態であってもよい（後記各実施形態参照）。なお、本明細書において、「取得」には、能動的な取得と受動的な取得とが含まれる。能動的な取得としては、自装置が他の装置や記憶媒体に格納されているデータまたは情報を取りに行くこと、たとえば、他の装置にリクエストまたは問い合わせして受信すること、他の装置や記憶媒体にアクセスして読み出すこと等が挙げられる。受動的な取得としては、自装置に他の装置から出力されるデータまたは情報を入力すること（受動的な受信）、たとえば、配信（または、送信、プッシュ通知等）されるデータまたは情報を受信すること等、の少なくともいずれか一方が含まれる。また、能動的な取得には、受信したデータまたは情報の中から選択して取得することが含まれ、受動的な取得には、配信されたデータまたは情報を選択して受信することが含まれる。
【００１６】
充電設備情報記憶手段１４は、複数の配電エリアに配置された充電設備の情報を記憶する。
【００１７】
電力許容度算出手段１２は、前記複数の配電エリアにおける電気自動車に対する電力許容度をそれぞれ算出する。「電力許容度」とは、ある配電エリアにおいて電気自動車の充電又は放電が許容される度合いを表したものであり、電力の余裕度ということもできる。また、特に、充電のみが許容される度合いとして用いる場合には、充電余裕度ということもできる。このような電力許容度は、例えば、当該配電エリアの電力の需給状態から算出することができる。電力許容度が大きい場合、当該配電エリアの需給状態が良好であることを示している。電力許容度が小さい場合、当該配電エリアの需給状態が逼迫していることを示している。
【００１８】
そして、案内情報送信手段１３は、前記バッテリーの充電状態が所定の条件を満たす電気自動車のユーザに対して、前記電力許容度の高さに基づいて選択した充電設備に関する案内情報を送信する。
【００１９】
前記電力許容度の高さに基づいて充電設備を選択する方法としては、電力許容度が所定の基準を満たしている充電設備を選択する方法が挙げられる。所定の基準としては、所定の数式によりスコア化した電力許容度（高い値の方が良好であるものとする）が所定の閾値を超えていることや、ランク分け、クラス分けした電力許容度のレベルが所定のランクやクラスよりも高いランクやクラスにあるといった基準を用いることができる。また、前記電力許容度の高さに基づいて充電設備を選択する別の方法としては、複数の充電設備の電力許容度を比較して、電力許容度が高い方の充電設備を選択する方法を採ることもできる。また、これらのいずれの方法において、案内情報に含める充電設備は一つに限られない。例えば、電力許容度が高い方から順番に、複数の充電設備を選択して案内情報に含めることができる。
【００２０】
案内情報送信手段１３は、例えば、図２に示すように、バッテリーの充電状態が所定の条件を満たす（充電量が閾値より少ない）ＥＶ１のユーザに対して、案内情報を送信する。案内情報送信手段１３は、この案内情報として、配電エリア１〜Ｎの中から、電力許容度の大きい配電エリア２内の充電設備での充電を促す案内情報を送信する。
【００２１】
このようにすることで、充電設備案内システムは、配電エリア１〜Ｎの中から、電力許容度の大きい配電エリア２に、電気自動車を案内し、充電させることが可能となる。これにより、電力許容度の小さいエリアで充電が行われることを抑止し、電力系統の安定化に貢献することが可能となる。
【００２２】
なお、上記した案内情報を送信する際に、充電設備案内システムは、電気自動車の充電状態のみならず、電気自動車の位置を考慮に入れることができる。例えば、電力許容度の高い配電エリアが複数ある場合や、配電エリア内に複数の充電設備が存在する場合、電気自動車の現在地から近い方の配電エリアや充電設備での充電を促す案内情報を送信することができる。同様に、配電エリアや充電設備から近い位置に所在する電気自動車のみを選択して、案内情報を送信することができる。
【００２３】
また、上記案内情報には、充電設備付近の地図情報、充電設備への経路情報や充電設備の詳細情報（例えば、充電スタンドの仕様や数）を含めることができる。また、より電力系統の安定化に貢献する充電設備での充電を促す仕組みとして、案内情報にインセンティブ情報を含めることができる。このインセンティブ情報としては、一定期間においてより安い価格での充電サービスの提供が受けられる旨や、充電をした電気自動車のユーザに与えられるその他特典（例えば、プレゼント、買い物の優待情報、ポイントの付与など）の内容などを含めることができる。
【００２４】
［第１の実施形態］
続いて、本発明の第１の実施形態について図面を参照して詳細に説明する。図３は、本発明の第１の実施形態の全体構成を示す図である。図３を参照すると、充電設備案内システム１００と、車両情報収集装置２００とが接続された構成が示されている。
【００２５】
車両情報収集装置２００は、電気自動車３００と、有線又は無線で通信し、電気自動車３００から取得した情報を、充電設備案内システム１００側に送信する機器である。また、車両情報収集装置２００は、充電設備案内システム１００から案内情報等を受信すると、電気自動車３００に案内情報を送信する。
【００２６】
このような車両情報収集装置２００の例としては、図３に例示するように、各家庭、駐車場、充電スタンドに設置された充電機器、スマートメーター、ＥＭＳ（Ｅｎｅｒｇｙ  Ｍａｎａｇｅｍｅｎｔ  Ｓｙｓｔｅｍ）等が挙げられる。また、ＥＭＳは、設置場所に応じて、ＨＥＭＳ（Ｈｏｍｅ  Ｅｎｅｒｇｙ  Ｍａｎａｇｅｍｅｎｔ  Ｓｙｓｔｅｍ）、ＢＥＭＳ（Ｂｕｉｌｄｉｎｇ  Ｅｎｅｒｇｙ  Ｍａｎａｇｅｍｅｎｔ  Ｓｙｓｔｅｍ）、ＦＥＭＳ（Ｆａｃｔｏｒｙ  Ｅｎｅｒｇｙ  Ｍａｎａｇｅｍｅｎｔ  Ｓｙｓｔｅｍ）等と称されるものが含まれる。なお、車両情報収集装置２００と充電設備案内システム１００間の通信には、スマートメーター等で採用されている９２０ＭＨｚ帯を用いる通信規格を用いることもできる。
【００２７】
電気自動車３００は、車両情報収集装置２００と通信する機能を備える。また、本実施形態で用いる電気自動車３００は、ＧＰＳ及びカーナビゲーション装置等の車載端末を備え、目的地のセットが行われると、車両情報収集装置２００に対して、車両ＩＤ、現在地、目的地及び電池残量を送信する機能を備えている。また、電気自動車３００は、車両情報収集装置２００から案内情報を受け取ると、カーナビゲーション装置等の車載端末に表示する機能を備えている。なお、車両ＩＤ、現在地、目的地及び電池残量の送信タイミングは、カーナビゲーション装置等の車載端末に目的地がセットされた出発時に限られない。例えば、車両情報収集装置２００が路上や駐車場に設定されている場合、これらの車両情報収集装置２００から要求に応じて車両情報を送信するようにしてもよい。
【００２８】
また、車両情報及び案内情報の送受信機器は、カーナビゲーション装置等の車載端末に限られない。例えば、車両情報収集装置２００と車載端末の組み合わせに代えて、ユーザが携帯しているスマートフォン等の情報端末を用いることができる。情報端末が移動体通信網等を介して、充電設備案内システム１００に車両情報を送信し、充電設備案内システム１００から受け取った案内情報を表示する構成も採用可能である。
【００２９】
図４は、本発明の第１の実施形態の充電設備案内システム１００の構成を示す図である。図４を参照すると、車両情報取得部１１１と、経路計算部１１２と、充電要否判定部１１３と、充電設備検索部１１４と、案内情報送信部１１５と、充電設備情報記憶部１１６と、配電エリア情報記憶部１１７と、電力許容度算出部１１８と、を備えた構成が示されている。
【００３０】
車両情報取得部１１１は、前述の車両情報収集装置２００から電気自動車のバッテリーの充電状態を含む車両情報を受信し、経路計算部１１２に転送する。本実施形態では、車両情報取得部１１１は、車両情報収集装置２００から、サービス対象の電気自動車のＩＤ（車ＩＤ）、現在地、目的地、電池残量（バッテリーの充電状態に相当）を受信するものとする。
【００３１】
経路計算部１１２は、車両情報取得部１１１から受信した情報に基づいて、サービス対象の電気自動車が現在地から目的地に移動するまでの経路を計算し、計算した経路情報等を充電要否判定部１１３に出力する。なお、経路計算部１１２における経路の計算は、経路計算部１１２自体に内蔵するマップデータを用いて経路計算することとしてもよいし、経路計算部１１２から外部の経路計算サーバ等と通信し、経路計算結果を受け取ることとしてもよい。
【００３２】
充電要否判定部１１３は、経路計算部１１２にて計算された経路情報に基づいて、サービス対象の電気自動車が目的地に到るまでに充電状態の変化を予測する（図９参照）。充電要否判定部１１３は、前記予測結果に基づいて、目的地へ到るまでの経路付近の充電設備の存在を知らせる案内情報の送信対象とするか否かを判定する。案内情報の送信対象とすると判定した場合、充電要否判定部１１３は、サービス対象の電気自動車の経路、充電状態の予測変化及び判定結果を充電設備検索部１１４に出力する。なお、前記案内情報の送信対象とするか否かの判定基準は、充電せずに目的地に辿りつけるか否かに限られない。例えば、目的地に到着した時点での推定電池残量が所定値未満である場合に、案内情報を送信要と判定するといった基準を用いることができる。例えば、図９において、目的地に到着した時点での推定電池残量５０％である場合、所定値の６０％未満であるから、案内情報を送信要と判定することになる。
【００３３】
電力許容度算出部１１８は、配電エリアの幹線の周波数や電圧の変動に基づいて、配電エリアの電力許容度を算出し、配電エリア情報記憶部１１７の配電エリア情報として管理する。ここで、「電力許容度」についてより詳細に説明する。電気は貯蔵できないので、生産量と消費量が常に同じであることが要求される。ところが、このバランスが崩れると、周波数の変動や電圧の変動が発生することが知られている。例えば、周波数の場合、基準周波数５０Ｈｚ又は６０Ｈｚに対し、０．２Ｈｚの変動があると、ユーザから問い合わせが出始め、変動幅が数パーセントに到ると、ユーザ側の電動機を停止しなければならない状況が生じ得ることが知られている。本発明では、このような周波数の変動や電圧の変動等から推測可能な配電エリアの電力の需給状態を「電力許容度」として管理し、電気自動車への案内情報の送信要否を判定する情報要素として利用することとしている。また、この電力許容度は配電エリアの系統容量にも依存する。配電エリアの系統容量が大きい場合、周波数や電圧の変動は起きにくくなるので、電力許容度は大きくなる。本実施形態では、このようにして周波数や電圧の変動及び系統容量から算出される電力許容度を、取り扱いしやすいように、ＡＡＡ〜Ｃまでのいくつかの段階に分けて管理している。本実施形態では、電力許容度を、ＡＡＡ＞ＡＡ＞Ａ＞ＢＢＢ＞ＢＢ＞Ｂ＞ＣＣＣ＞ＣＣ＞Ｃの９段階に分けるものとする。
【００３４】
なお、「電力許容度」は、配電エリアの幹線の周波数や電圧の変動以外からも算出することができる。例えば、配電エリア内に所在する充電設備の受電点の周波数や電圧を測定し、その変動状況に基づいて、「電力許容度」を算出することとしてもよい。また、電力会社や電力小売り事業者等から、配電エリア毎の電力の需給状態等の情報提供を受けて「電力許容度」として用いることもできる。
【００３５】
図５は、配電エリア情報記憶部１１７に保持管理される配電エリア情報の一例を示す図である。図５の例では、配電エリア情報には、配電エリア（ＩＤ）と、その配電エリア内に所在する充電設備情報と、各配電エリアの電力許容度が含まれている。なお、図５の例では、配電エリア情報として、一定時間先の電力許容度が管理されている。このような将来の電力許容度は、例えば、将来の発電計画や需要予測を用いて、現況の電力許容度を補正したり、シミュレーションすることで算出することができる。また、将来の発電計画や需要予測を用いる方法に代えて、過去の実績データを用いて将来の電力許容度を予測する方法も採用可能である。
【００３６】
図６は、充電設備情報記憶部１１６に保持管理される充電設備情報の一例を示す図である。図６の例では、スタンドＡ−１、Ａ−２といった充電スタンドと、その位置情報（緯度、経度）が対応付けて記憶されている。なお、図６の例では、充電スタンドの位置情報のみを保持することとしているが、充電スタンドの仕様（充電機能、併設充電スタンド数）や充電料金等を含めるようにしてもよい。このうち、充電料金情報等は、後述するインセンティブ情報の一部として使用することができる。
【００３７】
充電設備検索部１１４は、充電要否判定部１１３から、サービス対象の電気自動車の経路情報、充電状態の変化予測及び案内情報の送信対象とするとの判定結果を受信すると、充電設備情報記憶部１１６及び配電エリア情報記憶部１１７を参照して、図１０に示すように、サービス対象の電気自動車の経路上に所在する充電設備を抽出する。さらに、充電設備検索部１１４は、前記抽出した充電設備のうち、電力許容度が所定の基準を満たす充電設備を選択する。例えば、電力許容度がＢ以上の充電設備を選択するとの基準が設定されている場合、図１１における（充電）スタンドＡ−１、Ｂ−１が選択対象となる。充電設備検索部１１４は、案内情報送信部１１５に対し、前記選択した充電設備を通知する。図１１において注意すべきは、（充電）スタンドが接続されている配電エリアの電力許容度として、当該電気自動車が当該（充電）スタンドに到着した時刻ｔｎにおける電力許容度を用いている点である。例えば、（充電）スタンドＢ−１の場合、配電エリア情報記憶部１１７から、電気自動車の到達時刻ＸＸ：ＸＸ＋ｔ２の電力許容度を読み出して、所定の基準を満たしているか否かの判定が行われることになる。
【００３８】
案内情報送信部１１５は、充電設備検索部１１４から通知された情報に基づいて、電気自動車への案内情報を作成し、車両情報収集装置２００又は電気自動車のユーザが保持する情報端末に送信する。
【００３９】
なお、図４に示した充電設備案内システム１００の各部（処理手段）は、充電設備案内システム１００を構成するコンピュータに、そのハードウェア（プロセッサ、メモリ、ストレージ）を用いて、上記した各処理を実行させるコンピュータプログラムにより実現することもできる。また、充電設備案内システム１００の各部（処理手段）の一部の機能は、充電設備案内システム１００が接続するネットワーク側に配置されていてもよい。例えば、経路計算部１１２、充電要否判定部１１３、充電設備検索部１１４、充電設備情報記憶部１１６及び配電エリア情報記憶部１１７は、経路計算機能、充電要否判定機能、充電設備検索機能及び充電設備情報・配電エリア情報のストレージ機能として実現することができる。
【００４０】
続いて、本実施形態の動作について図面を参照して詳細に説明する。図７は、本発明の第１の実施形態において車両情報を分析した結果、案内情報の送信不要と判定した場合の動作（運転開始時判定１）を示すシーケンス図である。図７を参照すると、まず、電気自動車のユーザが運転を開始するに当たり、車載端末等に目的地を入力する（ステップＳ００１）。
【００４１】
目的地の入力を受け付けた車載端末等は、電気自動車のＩＤ（車ＩＤ）、現在地、目的地、電池残量（以下、これらを車両情報とも言う。）を組にして、車両情報収集装置２００に送信する。車両情報収集装置２００は、充電設備案内システム１００に対し、車載端末等から受信した情報を送信する。
【００４２】
充電設備案内システム１００は、車両情報収集装置２００から情報に含まれる車両の現在地と目的地とに基づいて、経路計算を行って、経路上の電気自動車の推定電池残量に基づいて、充電要否を判定する（ステップＳ００２）。図７の例では、充電不要と判定されたため、充電設備案内システム１００は、車両情報収集装置２００に対し、案内情報の送信を行わない旨のメッセージを送信する。
【００４３】
車両情報収集装置２００は、電気自動車に対し、「案内情報なし」を通知する。このように、充電設備案内システム１００によれば、充電不要とされる場合には案内情報の送信は抑止される。
【００４４】
図８は、本発明の第１の実施形態において車両情報を分析した結果、案内情報の送信が必要と判定した場合の動作（運転開始時判定２）を示すシーケンス図である。図８の充電設備案内システム１００が、車両情報収集装置２００から受信した情報に含まれる車両の現在地と目的地とに基づいて、経路計算を行って、充電要否を判定するまでの動作は図７と同様である。
【００４５】
図８の例では、充電が必要と判定されたため、充電設備案内システム１００は、車両情報収集装置２００に対し、案内情報を送信するに当たり、以下のように充電設備の選択処理を行う。
【００４６】
まず、充電設備案内システム１００は、車両情報収集装置２００から受信した電気自動車の経路付近の充電設備（寄り道できる充電設備）をリストアップする（ステップＳ００２−１）。例えば、充電設備案内システム１００は、図９、図１０のように現在地から目的地までの経路から、一定距離内にある充電設備（スタンドＡ−１、Ｂ−１、Ｃ−１）を抽出する。
【００４７】
次に、充電設備案内システム１００は、抽出した充電設備への各到着予定時間における当該充電設備が接続されている配電エリアの電力許容度を確認する（ステップＳ００２−２）。その上で、充電設備案内システム１００は、ステップＳ００２−１でリストアップした充電設備のうち、配電エリアの電力許容度が所定の基準を満たす充電設備を選択する。例えば、充電設備案内システム１００は、図１１のように現在地から目的地までの経路から、一定距離内にある充電設備（スタンドＡ−１、Ｂ−１、Ｃ−１）のうち、それぞれの充電設備への到着予定時刻における電力許容度に基づいて、充電設備（スタンドＡ−１、Ｂ−１）を選択する（配電エリアの電力許容度がＢ以上の充電設備を選択する場合）。
【００４８】
そして、充電設備案内システム１００は、前記選択した充電設備で充電することに対するインセンティブ情報と前記選択した充電設備に関する情報を含んだ案内情報を作成し、車両情報収集装置２００経由で電気自動車に送信する（ステップＳ００２−３）。このようにすることで、電気自動車のユーザに、図１１の充電設備（スタンドＡ−１、Ｂ−１、Ｃ−１）のうち、所属配電エリアの電力許容度の低い充電設備（スタンドＣ−１）での充電を避けさせることができる。
【００４９】
［第２の実施形態］
続いて、本発明の第２の実施形態について図面を参照して詳細に説明する。上記した第１の実施形態では、目的地が入力された際に、必要に応じて案内情報を送信することとしたが、目的地が入力された後も必要に応じて、上記した案内情報を送信することができる。以下、第２の実施形態について第１の実施形態との相違点を中心に説明する。
【００５０】
図１２は、本発明の第２の実施形態の充電設備案内システムの構成を示す図である。図４に示した第１の実施形態の充電設備案内システム１００との相違点は、案内情報送信部１１５に、車両情報記憶部１２０が追加されている点である。
【００５１】
車両情報記憶部１２０は、送信済み案内情報を含むサービス対象の電気自動車の情報を記憶する。図１３は、車両情報記憶部１２０に保持される車両情報の一例を示す図である。図１３の例では、各電気自動車のＩＤ（車ＩＤ）、現在地、目的地、案内中の充電設備の情報が記憶されている。これらの情報は、車両情報取得部１１１ａ及び案内情報送信部１１５ａによって逐次更新されることになる。
【００５２】
図１４、図１５は、本発明の第２の実施形態において、電気自動車が目的地への出発後に再度車両情報を送信した場合の動作（移動中の判定１、２）を示すシーケンス図である。
【００５３】
図１４に示すように、走行中、電気自動車は、車両情報を送信しない（ステップＳ００１−１）。一方で、任意の位置で停止した際に車両情報収集装置２００と通信可能である場合、電気自動車は、電気自動車のＩＤ（車ＩＤ）、現在地、目的地、電池残量を組にして、車両情報収集装置２００に再送する（ステップＳ００１−２）。車両情報収集装置２００は、充電設備案内システム１００に対し、車載端末等から受信した情報を送信する。
【００５４】
充電設備案内システム１００の案内情報送信部１１５ａは、車両情報収集装置２００から受信した車両情報と、車両情報記憶部１２０に記憶されている当該電気自動車の情報とに基づいて、案内情報の送信要否を判定する（ステップＳ００２ａ）。具体的には、図８のステップＳ００２−１〜Ｓ００２−３の処理が行われる。この結果、例えば、再度選択した充電設備が車両情報記憶部１２０に記憶されている案内中充電設備と同一である場合、充電設備案内システム１００は、車両情報収集装置２００に対し、案内情報の送信を行わない旨のメッセージを送信する。
【００５５】
車両情報収集装置２００は、電気自動車に対し、「案内情報更新なし」を通知する。このように、充電設備案内システム１００によれば、再度の案内が不要とされる場合には案内情報の送信が抑止される。
【００５６】
図１５は、本発明の第２の実施形態において車両情報を分析した結果、案内情報の再送信が必要と判定した場合の動作（移動中の判定２）を示すシーケンス図である。図１５の充電設備案内システム１００が、車両情報収集装置２００から受信した車両情報と、車両情報記憶部１２０に記憶されている当該電気自動車の情報とに基づいて、案内情報の送信要否を判定するまでの動作は図１４と同様である。
【００５７】
図１５は、前記判定の結果、案内情報の送信が必要だと判定された例を示している。例えば、目的地に変更が生じている場合、充電設備案内システム１００は、再度経路計算を行って、経路、当該経路上の電気自動車の推定電池残量及び電力許容度に基づいた充電設備の選択を行って、案内情報の再作成と送信を実施する。また例えば、目的地に変更が生じていないが、経路が変更になったり、電気自動車の充電設備への到着時間に遅れが生じている場合、リストアップされる充電設備や、充電設備の電力許容度に変更が生じうる。結果として、案内すべき充電設備も変更となる。この場合も、充電設備案内システム１００は、案内情報の再作成と送信を実施する。
【００５８】
以上のように、本実施形態では、電気自動車の目的地や経路の変更や到着の遅れが生じた場合にも、適宜、最適な案内情報を送信することが可能となる。
【００５９】
［第３の実施形態］
上記した第１、第２の実施形態では、配電エリア内の他の電気自動車の存在を考慮せずに案内情報を作成、送信していたが、配電エリア内の他の電気自動車の存在を考慮に入れて案内情報を作成することもできる。以下、このような観点で第１の実施形態に変更を加えた第３の実施形態について図面を参照して詳細に説明する。
【００６０】
図１６は、本発明の第３の実施形態の充電設備案内システム１００ｂの構成を示す図である。図４に示した第１の実施形態の充電設備案内システム１００との相違点は、車両情報取得部１１１ａが取得した車両情報を配電エリア情報記憶部１１７ａに記憶する点と、充電要否判定部１１３ａが、配電エリア情報記憶部１１７ａを参照して、配電エリア内の充電が必要な電気自動車の数等を考慮に入れて充電要否（案内情報の送信要否）を判定する点である。
【００６１】
図１７は、本実施形態における配電エリア情報記憶部１１７ａに保持される配電エリア情報の例である。図５に示した第１の実施形態の配電エリア情報記憶部１１７との相違点は、現時点から将来における配電エリア内に在圏する電気自動車とその電池残量を保持可能となっている点である。なお、配電エリア内に在圏する電気自動車の数や電池残量の変化は、各自動車から送信された目的地情報や各電気自動車の燃費情報等から予測することができる。また、このような予測処理に代えて、簡易的に、同一属性（曜日、時間等）の過去の統計データ等を用いてもよい。
【００６２】
図１８は、本実施形態の充電要否判定部１１３ａによる充電要否の判定処理を説明するための図である。例えば、図１８のように、充電必要度ランクがＡ（但し、Ａ＞Ｂ＞Ｃ、Ａ以上を案内情報の送信対象とする）の電気自動車ＥＶ１〜ＥＶ３が存在した場合を考える。ここで、例えば図１８の配電エリアＡの電力許容度が電気自動車２台分であったとする。このような場合において、充電要否判定部１１３ａは、図１９のように、充電必要度ランクがＡの電気自動車のうち、目的地が自宅である電気自動車ＥＶ１の充電必要度ランクをＡからＢに変更する。
【００６３】
この結果、案内情報の送信対象は、図１９に示すように、ＥＶ２、ＥＶ３のみとなる。これにより、配電エリアＡにおいて３台の電気自動車が同時に充電を実施することにより、電力系統の安定状態が損なわれることを防ぐことが可能となる。なお、図１８の配電エリアＡの電力許容度が電気自動車３台分である場合には、目的地が自宅である電気自動車ＥＶ１に対しても案内情報を送信するようにしてもよい。また、各電気自動車における蓄電池の状態に基づいて、より緊急度の高い電気自動車に案内情報を送信してもよい。具体的には、電池残量が少ない、つまりＳＯＣが少ない電気自動車に対して優先的に案内情報を送信する。また、図１８の配電エリアＡの電力許容度が電気自動車１台分である場合には、目的地が自宅である電気自動車ＥＶ１のほか、電気自動車ＥＶ２、電気自動車ＥＶ３を比較して、より充電の緊急度の高い電気自動車（例えば、ＳＯＣが１０％であるＥＶ３）にのみ案内情報を送信するようにしてもよい。
【００６４】
なお、第３の実施形態は、第２の実施形態のように、車両情報記憶部１２０を持つ構成にも同様に適用することができる。
【００６５】
［第４の実施形態］
上記した第３の実施形態の構成を利用して、ある配電エリアに位置する電気自動車を別の配電エリアに誘導する構成に変形することも可能である。以下、第３の実施形態の構成を利用して、別エリアへの電気自動車の誘導を行う第４の実施形態について説明する。
【００６６】
図２０は、本発明の第４の実施形態の充電設備案内システムの動作を説明するための図である。図２０に示すとおり、２つの配電エリアＡ、Ｂが存在しているものとする。図１７に示すように、現時点における配電エリアＡの方は、電力許容度が低く（電力許容度：Ｃ）、かつ、電池残量の少ない電気自動車が多数在圏している。一方配電エリアＢの方は、電力許容度が高く（電力許容度：ＡＡＡ）、かつ、在圏する電気自動車の多くが、電池残量に余裕のある状態、即ち、充電の必要のない状態となっている。
【００６７】
このような場合、充電設備案内システムに、配電エリアＡに在圏する電気自動車に対して、配電エリアＢに移動して充電することを案内する案内情報を送信させることができる。このような案内情報は、目的地の入力を契機として送信する必要はなく、各電気自動車と通信可能なタイミングで送信することができる。もちろん、配電エリアＢへの移動が困難な電気自動車に対しては、配電エリアＡの充電スタンドを案内することとしてもよい（このとき、急速充電等を抑止するような逆インセンティブ情報を併せて送信することも好ましい）。
【００６８】
また、図１７に示す、将来における配電エリア内に在圏する電気自動車とその電池残量及び配電エリアの電力許容度に基づいて、配電エリアの将来の電力許容度の変化を見越して、案内情報を作成、送信することとしてもよい。例えば、図１７に示すように、Ｎ時間後の配電エリアＢの電力許容度が低くなる予測が出ている場合（電力許容度：Ｃ）、それより前に、配電エリアＢに在圏する電気自動車に対し、Ｎ時間後の電力許容度が高い（電力許容度：ＡＡＡ）配電エリアＡでの充電を促すことで、配電エリアＢの電力系統が不安定になることを防ぐことができる。
【００６９】
以上の様な第４の実施形態によれば、電力許容度が異なる配電エリア間で、充電する電気自動車を融通し、電力系統の安定化を向上させることが可能となる。
【００７０】
以上、本発明の各実施形態を説明したが、本発明は、上記した実施形態に限定されるものではなく、本発明の基本的技術的思想を逸脱しない範囲で、更なる変形・置換・調整を加えることができる。例えば、各図面に示したネットワーク構成、各要素の構成、メッセージの表現形態は、本発明の理解を助けるための一例であり、これらの図面に示した構成に限定されるものではない。
【００７１】
最後に、本発明の好ましい形態を要約する。
［第１の形態］
（上記第１の視点による充電設備案内システム参照）
［第２の形態］
第１の形態の充電設備案内システムにおいて、
前記第３の手段は、前記電力許容度の高い順に選択した前記充電設備に関する案内情報を送信する充電設備案内システム。
［第３の形態］
第１の形態の充電設備案内システムにおいて、
前記第３の手段は、他の前記充電設備と比べて前記電力許容度が相対的に高い前記充電設備を選択し、前記充電設備に関する案内情報を送信する充電設備案内システム。
［第４の形態］
第１から第３いずれか一の形態の充電設備案内システムにおいて、
さらに、前記電気自動車から、前記電気自動車の位置情報を取得する第４の手段を備え、
前記電気自動車の位置情報に基づいて、前記複数の充電設備の中から前記案内情報の送信対象とする充電設備を選択する充電設備案内システム。
［第５の形態］
第１から第４いずれか一の形態の充電設備案内システムにおいて、
さらに、前記電気自動車から、前記電気自動車の目的地情報又は目的地までの経路情報を取得する手段を備え、
前記目的地情報又は目的地までの経路情報に基づいて、前記複数の配電エリアの充電設備のうち前記電気自動車の移動経路に沿った配電エリアにある充電設備の中から前記案内情報の送信対象とする充電設備を選択する充電設備案内システム。
［第６の形態］
第５の形態の充電設備案内システムにおいて、
さらに、前記電気自動車の目的地情報又は目的地までの経路情報に基づいて、前記目的地へ移動する過程での前記電気自動車のバッテリー充電状態の変化を推定する手段を備え、
前記目的地へ移動する過程での電気自動車のバッテリーの充電状態の変化と、前記電力許容度とに基づいて、案内情報を送信するか否かを決定する充電設備案内システム。
［第７の形態］
第４から第６いずれか一の形態の充電設備案内システムにおいて、
前記電気自動車のバッテリーの充電状態の取得又は前記電気自動車の位置情報の取得を契機として、新しい案内情報の作成要否を判定する充電設備案内システム。
［第８の形態］
第５から第７いずれか一の形態の充電設備案内システムにおいて、
前記目的地情報又は目的地までの経路情報の取得を契機として、新しい案内情報を作成して送信する充電設備案内システム。
［第９の形態］
第１から第６いずれか一の形態の充電設備案内システムにおいて、
前記案内情報には、前記充電設備の電力許容度に基づいた充電に対するインセンティブ情報が含まれている充電設備案内システム。
［第１０の形態］
第１から第９いずれか一の形態の充電設備案内システムにおいて、
前記充電設備が所在する配電エリアの周波数又は電圧の安定状態に基づいて前記電力許容度を算出する充電設備案内システム。
［第１１の形態］
第１から第９いずれか一の形態の充電設備案内システムにおいて、
前記充電設備が所在する配電エリア内の充電設備における周波数又は電圧の安定状態に基づいて前記電力許容度を算出する充電設備案内システム。
［第１２の形態］
第１から第９いずれか一の形態の充電設備案内システムにおいて、
所定の電力サーバから受信した前記充電設備が所在する配電エリア別の電力の需給情報に基づいて前記電力許容度を算出する充電設備案内システム。
［第１３の形態］
第１０から第１２いずれか一の形態の充電設備案内システムにおいて、
配電エリア内に所在する電気自動車を含む負荷装置の電力消費予測に基づいて、将来時点における電力許容度を算出し、前記電気自動車が充電設備に到着する将来時点における前記電力許容度に基づいて、案内情報に含める充電設備を選択する充電設備案内システム。
［第１４の形態］
第１から第１３いずれか一の形態の充電設備案内システムにおいて、
配電エリア内に所在する充電が必要な電気自動車の数に基づいて、前記配電エリア内に所在する電気自動車に対して、案内情報を送信するか否かを決定する充電設備案内システム。
［第１５の形態］
（上記第２の視点による充電設備案内方法参照）
［第１６の形態］
（上記第３の視点によるプログラム参照）
なお、上記第１５〜第１６の形態は、第１の形態と同様に、第２〜第１４の形態に展開することが可能である。
【００７２】
なお、上記の特許文献の各開示を、本書に引用をもって繰り込むものとする。本発明の全開示（請求の範囲を含む）の枠内において、さらにその基本的技術思想に基づいて、実施形態ないし実施例の変更・調整が可能である。また、本発明の開示の枠内において種々の開示要素（各請求項の各要素、各実施形態ないし実施例の各要素、各図面の各要素等を含む）の多様な組み合わせ、ないし選択が可能である。すなわち、本発明は、請求の範囲を含む全開示、技術的思想にしたがって当業者であればなし得るであろう各種変形、修正を含むことは勿論である。特に、本書に記載した数値範囲については、当該範囲内に含まれる任意の数値ないし小範囲が、別段の記載のない場合でも具体的に記載されているものと解釈されるべきである。
【符号の説明】
【００７３】
１１  充電状態取得手段
１２  電力許容度算出手段
１３  案内情報送信手段
１４  充電設備情報記憶手段
１００、１００ａ、１００ｂ  充電設備案内システム
１１１、１１１ａ  車両情報取得部
１１２  経路計算部
１１３、１１３ａ  充電要否判定部
１１４  充電設備検索部
１１５、１１５ａ  案内情報送信部
１１６  充電設備情報記憶部
１１７、１１７ａ  配電エリア情報記憶部
１１８  電力許容度算出部  
１２０  車両情報記憶部
２００  車両情報収集装置
３００  電気自動車
【図１】
2019095196.tif 000003
【図２】
2019095196.tif 000004
【図３】
2019095196.tif 000005
【図４】
2019095196.tif 000006
【図５】
2019095196.tif 000007
【図６】
2019095196.tif 000008
【図７】
2019095196.tif 000009
【図８】
2019095196.tif 000010
【図９】
2019095196.tif 000011
【図１０】
2019095196.tif 000012
【図１１】
2019095196.tif 000013
【図１２】
2019095196.tif 000014
【図１３】
2019095196.tif 000015
【図１４】
2019095196.tif 000016
【図１５】
2019095196.tif 000017
【図１６】
2019095196.tif 000018
【図１７】
2019095196.tif 000019
【図１８】
2019095196.tif 000020
【図１９】
2019095196.tif 000021
【図２０】
2019095196.tif 000022